(57)【特許請求の範囲】
【請求項１】
こたつであって、こたつ布団の載置部となる枠板部には水平方向へ繰り出し可能な突出部が設けられており、
前記突出部は、前記枠板部の略中心から突き出すことで、その上面に載置される前記こたつ布団の一部を支持して床との間に外部からの温風を導入するのに必要な開口領域を創出させる部材であり、
その大きさは前記枠板部の四辺のいずれか一辺の略中心部近傍の領域であって前記外部から導入する温風の流路面積よりも小さい開口領域であることを特徴とする温風取込機能付きこたつ。
【請求項２】
前記突出部の端部に、前記開口領域へ導入する温風の流量を調整するための温風流量調整機構が設けられていることを特徴とする請求項１に記載の温風取込機能付きこたつ。
【請求項３】
前記突出部が、前記布団載置部の水平方向４側面の少なくとも２つ以上から突出することで前記開口領域を複数備え、一つは温風取込機能を発揮させ、他方は通気用として機能させることを特徴とする請求項１又は２に記載の温風取込機能付きこたつ。
【請求項４】
前記突出部が、二本の棒状部材であって、それぞれが独立して摺動する突出部であることから、前記開口領域に角度を設けることが可能な徴請求項１から請求項３のいずれかに記載の温風取込機能付きこたつ。
【請求項５】
前記突出部の端部から床に向けての脚を設けることを特徴とする請求項１から４のいずれかに記載の温風取込機能付きこたつ。
【請求項６】
前記温風取込機能付きこたつの略四隅に、足部材を設けたことを特徴とする請求項１から５のいずれかに記載の温風取込機能付きこたつ。
【発明の詳細な説明】
【技術分野】
【０００１】
本発明は、省エネに資する暖房機器に関し、詳しくは、こたつに温風を引き込む開口領域を既存のこたつ布団を利用して作り出す構造に暖房器機に関するものである。特に、同一室内において化石燃料と電気の双方を利用する場合のエネルギー効率の悪さを解消し、温風暖房機との組合わせにより、温風暖房器機から送風される温風の一部を、効率的にこたつ内に取り入れる暖房器機の技術に関するものである。
【背景技術】
【０００２】
従来より、冬の暖房器具として、こたつが使用されている。このこたつは、テーブル状の櫓の上に専用の掛け布団を掛け、その上にこたつ板を敷き、内部に温熱部を備えたものである。遠赤外線電気こたつの温熱部は、櫓の上部中央の裏面に赤外線ヒーターを備えたもので、電力を熱に変えるものである。また、こたつは、主に下半身を温めるものであり、通常、部屋全体を温めるためには温風ヒーター等の暖房機等と併用する。
ところで、部屋全体を温風ヒーターで暖め、こたつで下半身をさらに温めようとした場合に、温風ヒーターは、灯油等の火力で温めるので、比較的速く部屋を暖めることができるが、こたつは、通常６００Ｗ程度の電力で加熱するので、こたつ内の温度を上げるのに比較的時間がかかる。
【０００３】
そのため、温風ヒーターの温風を直接こたつの中に導き、こたつ内を温めることが考えられ、ダクト等で温風を導く器具が知られている。
しかしながら、常に、ダクトを設置しておくと、その分、こたつを使用する人が少なくなるし、こたつ内が十分暖まって、ダクトが必要なくなった際、ダクトを片付け、保管する場所が必要であり、極めて煩雑な作業となっていた。また、同じ室内であるにも関わらず、化石燃料と電気を並列した利用は省エネルギーの観点からは無駄が多いといわざるを得ない。そのため、温風ヒーター等からの温風を容易にこたつ内に導く方法が求められていた。
【０００４】
このような問題について従来からも種々の技術が提案され、温風暖房機等から放出される熱風を利用することで、通常のこたつ同様の温熱効果を有するこたつを構成できるこたつ用温風引込ダクト（特許文献１参照）が提案され、公知技術となっている。
より詳しくは、温風暖房機の温風吹出口近傍に開口端を向けて配設され、温風が流入する筒状の温風流入パイプと、前記温風流入パイプの他端より連なり、１本の筒状をなし、開放側の端部がこたつ内に引き込まれ、温風が流出する温風流出パイプとを備え、温風暖房機から送風される温風を温風流入パイプ及び温風流出パイプを介して、こたつ内へ送風させることができるようにするものである。
しかしながら、この技術で、温風暖房機の温風をこたつ内に導くことは出来るものの、暖房機とこたつの間に温風流入パイプを設置しなければならず、パイプの片付け、保管については、折りたたみ等で保管スペースを小さくする記載はあるものの、撤去時に保管場所への運搬が必要であり、前記問題の解決には至っていない。
【０００５】
また、こたつの内部及び外部を同時に暖房できるようにし、暖房を行なう際のコストを低減させる技術（特許文献２参照）が提案され、公知技術となっている。
より詳しくは、こたつの上部を覆う頂面部と、頂面部の周縁から垂下する側面部とを備えたこたつ用布団において、側面部に少なくとも１つの開口領域を設け、開口を開閉可能に塞ぐ蓋部と、こたつの外部に温風を送風する暖房機を備え、こたつ用布団の開口を開にし、暖房機から開口に向けて温風を送風し、この温風によりこたつの外部及び内部を同時に暖房するものである。
しかしながら、この技術では、温風暖房機の温風をこたつ内に導くことは出来るものの、こたつ布団に特別な構造を付加しなければならず、こたつ布団に開口部を設けるために、蓋の分離作業が必要であるし、温風送付が不要となった際は、蓋の装着が必要である。また、こたつ布団は、使用者に直接接触する部分であることから、布団に特別の構造を付加すると、違和感を生じ、こたつの使用品質を劣化させてしまう。そのため、前記問題の解決には至っていない。また大掛かりな作業も必要となるという問題もある。
【０００６】
また、温風暖房器具等から放出される温風を利用するこたつ用温風導入ダクト（特許文献３参照）が提案され、公知技術となっている。より詳しくは、温風暖房器具の温風吹出口の前に配置される温風を導入する温風取入口を有し、こたつ内に温風を入れるための送風口を有し、筒状をなすダクトで、こたつ内へ温風を送風させることができるようにするものである。
しかしながら、この技術では、温風暖房機の温風をこたつ内に導くことは出来るものの、暖房機とこたつの間に温風流入パイプを設置しなければならず、パイプの片付け、保管については、収縮されることで保管スペースを小さくする記載はあるものの、撤去時に保管場所への運搬が必要であり、前記問題の解決には至っていない。
【０００７】
また、市販温風ファンヒーターの温風を有効に利用し、且つ、こたつ内に不要な突起部を最小にして内部空間を広くする技術（特許文献４参照）が提案され、公知技術となっている。より詳しくは、温風ヒーターの温風をダクトによって、こたつ上部に送り、こたつ上部から、こたつ内全体に温風を送風するものである。
しかしながら、この技術では、温風暖房機の温風をこたつ内に導くことは出来るものの、暖房機とこたつの間に温風流入パイプを設置しなければならず、パイプの片付け、保管については、記載されておりません。
【０００８】
本発明者はそれらの問題を解決しようと、こたつ内の枠板部に移動可能な突出部を設け、該突出部でこたつ布団の一部を引き上げることに着目し、「温風取込機能付きこたつ」の提案に至るものである。
【先行技術文献】
【特許文献】
【０００９】
【特許文献１】特開平１０−１１１０２１号
【特許文献２】特開２００９−６８８１３号
【特許文献３】特開２００５−２２１０８２号
【特許文献４】特開２０１０−１５９９４１号
【発明の概要】
【発明が解決しようとする課題】
【００１０】
本発明は上記問題点に鑑み、電気を熱に買えて暖を得る暖房装置の熱効率の悪さや、化石燃料と電気とを並存して利用する暖房環境の無駄をなくし、また、簡易的構造で安価に製造でき、四季の温暖の変化に対応して使用態様も変更が可能な暖房機器の提供を図ることを課題とする。
【課題を解決するための手段】
【００１１】
本発明に係る温風取込機能付ききこたつは、こたつ布団の載置部となる枠板部には水平方向へ繰り出し可能な突出部が設けられており、前記突出部は、前記枠板部の略中心から突き出すことで、その上面に載置される前記こたつ布団の一部を支持して床との間に外部からの温風を導入するのに必要な開口領域を創出させる部材であり、その大きさは前記枠板部の四辺のいずれか一辺の略中心部近傍の領域であって前記外部から導入する温風の流路面積よりも小さい開口領域であることを特徴とする温風取込機能付きこたつ。
【００１２】
また、本発明は、前記突出部の端部から、下方向に空気の流れ量を調整する調整壁を持つことを手段とする。前記突出部の端部に、前記開口領域へ導入する温風の流量を調整するための温風流量調整機構が設けられている構成を採用することもできる。
【００１３】
また、本発明は、前記突出部が前記布団載置部の水平方向４側面の少なくとも２つ以上から突出することで前記開口領域を複数備え、一つは温風取込機能を発揮させ、他方は通気用として機能させる構成手段を採用することもできる。
【００１４】
また、本発明は、前記突出部が、二本の棒状部材であって、それぞれが独立して摺動する突出部であることから、前記開口領域に角度を設けることが可能となる構成手段を採用することもできる。
【００１５】
また、本発明は、前記突出部の端部から床に向けての脚を設ける構成手段を採用することもできる。
【００１６】
また、本発明は、前記の温風取込機能付きこたつ天板の略四隅に、足部材を設けた構成手段を採用したこたつとすることもできる。
【発明の効果】
【００１７】
本発明に係る温風取込機能付きこたつによれば、同一室内において化石燃料と電気の双方を利用する場合のエネルギー損失を解消し、温風暖房機との組合わせにより、送風される温風の一部を効率的にこたつ内に取り入れることができ、省エネルギーに資するという優れた効果を発揮する。
【００１８】
また、本発明に係る温風取込機能付きこたつによれば、極めてシンプルな構成であるため、製造が容易であり、その使用態様も、現在所有しているこたつやテーブルを利用することもでき、また、足部材が設けられている構成では、単独でもその機能を発揮することができる。
【００１９】
こたつを使用しないシーズンにおいては、通常のこたつ又はテーブルとして使用ができ、更に、突き出し部に追加天板を載せることで、テーブルスペースを広くすることができるという効果を発揮する。
【図面の簡単な説明】
【００２０】
【図１】本発明に係こたつの全体説明図である。
【図２】本発明に係る温風取込機能付こたつの基本機能説明図である。
【図３】本発明に係る突出部の突出構成を例示する実施例説明図である。
【図４】本発明に係る温風取込機能付こたつの機能説明図である。
【図５】本発明に係る温風取込機能付こたつの実施例の図である。
【図６】本発明に係る温風取込機能付こたつの他の実施例説明書である。
【図７】本発明に係る通風機利用型の機能説明図である。
【図８】本発明に係る温風取込機能付こたつの全体説明図である。
【図９】本発明に係る応用実施例説明図である。
【発明を実施するための形態】
【００２１】
本発明に係る温風取込機能付こたつ１は、こたつ内の枠板部３に移動可能な突出部５を設け、係る突出部５によってこたつ布団７の一部を引き上げて開口領域１ａを作り出し、ここへ温風を導いて暖房効率を向上させることを最大の特徴とする。以下、実施例を図面に基づいて説明する。
なお、本実施例で示される温風取込機能付きこたつ１の全体形状及び各部の形状は、下記に述べる実施例に限定されるものではなく、本発明の技術的思想の範囲内、即ち、同一の作用効果を発揮できる形状及び寸法の範囲内で変更することができるものである。
【実施例１】
【００２２】
図１から図３にしたがって、本発明を説明する。
図１は、本発明に係る温風取込機能付きこたつ１の全体説明斜視図であり、図１（ａ）は、使用時に必要な構成品を含めた全体構成を示し、図１（ｂ）は、使用状態を示している。図２は、本発明の側面図等であり、図２（ａ）は、本発明の側面からの略断面図であり、図２（ｂ）は、正面図である。
図３は、枠板部３と繰り出し板５ａ、収納部６の構造を示す図である。図３（ａ）は、突出部５が繰り出し板５ａの場合、図３（ｂ）、図３（ｃ）は突出部５が繰り出し棒１１の場合である。
【００２３】
また、温風取込機能付きこたつ１は、天板部２と繰り出し板５ａ、及び該繰り出し板５ａを収納する収納部６によって構成され、足部材１１を設けない態様の場合では、天板部２は、既存のこたつ８の枠板部３の役割を果たすことになる。即ち、温風取込機能付きこたつ１は、既存のこたつ８を覆うように上部配置し、その上部にコタツ布団７を配置し、更にその上部に天板２を配置する。
なお、図中央下部に、こたつ内の空気を加熱するヒーター部４が示されているが、係るヒーター部４の有無は限定されるものではなく任意である。
【００２４】
枠板部３の下部、ヒーター部４の周辺であり、枠板部３の各辺に対応する部分には、収納部６と繰り出し板５ａが配置される。収納部６は、各辺に対応するように４つ配置される。すべての辺に対応してもいいし、簡易的に１つの辺に対応して、１つのみ配置してもよい。
【００２５】
収納部６は、枠板部３の周方向に開口した扁平の筒状である。筒の内寸は、上下方向では、繰り出し板５ａの厚さよりも若干大きく、水平方向では、繰り出し板５ａの面方向の寸法よりも若干大きい。言い換えれば、収納部６は、繰り出し板５ａ全体を収容可能な筒状である。また、収納部６の内部は、繰り出し板５ａが容易に出し入れできる程度に滑らかであることが望ましい。
【００２６】
繰り出し板５ａは、板状であり、寸法は、枠板部３の下部に収まる大きさである。未使用時に、邪魔にならないようにするためである。図３（ａ）に、枠板部３、繰り出し板５ａ、収納部６の関係を示す。図は枠板部３を下方から見た図である。枠板部３の中央にヒーター部４があり、枠板部３の各辺に対応する位置に収納部６、繰り出し板５ａが配置されている。
【００２７】
また、繰り出し板５ａは、収納部６から、外方向に、引き出し可能になっている。引き出した状態を維持して使用するので、所定量引き出した際にストッパ等で固定できるようにしてもよい。また、図３（ａ）の繰り出し板５ａを引き出した図のように、繰り出し板５ａの大半の部分を引き出す場合もあるので、収納部６の支える強度は、繰り出し板５ａの重さと繰り出し板５ａにかかるコタツ布団７の重量に耐えられる強度が必要である。
【００２８】
次に、図２に沿って、実施の内容を説明する。図２（ａ）は、本発明の側面からの断面の概念図である。枠板部３の下部に設置された収納部６に収納された繰り出し板５ａを外方向に引き出した状態とする。繰り出し板５ａが引き出された辺のコタツ布団７は、繰り出し板５ａが水平方向に突出したことによって、繰り出し板５ａによって、コタツ布団７の一部が引き上げられた状態となる。図では、コタツ布団７の端部まで繰り出し板５ａの上部に保持される例であるが、コタツ布団７の端部が、繰り出し板５ａの先端から垂れ下がるようになっていても良い。
【００２９】
繰り出し板５ａの突出によって、コタツ布団７が引き上げられ、温風取込機能付きこたつ１の内部が外部と相通するようになる。図２（ｂ）は繰り出し板５ａを突出した辺を正面から見た図である。
温風ヒータ１０を相通した辺側に置くことで、温風ヒータ１０の温風がコタツ布団７を引き上げることでできた開口領域１ａから温風取込機能付きこたつ１の内部に入る。温風によって、温風取込機能付きこたつ１の内部は比較的速く温められる。
【００３０】
また、十分温まったと感じた後は、使用者は、繰り出し板５ａを収納部６に収納すればよい。そうすると、コタツ布団７は、下がり、繰り出し板５ａによって出来た開口領域１ａは無くなり、温風取込機能付きこたつ１の内部は、外部と遮断される。
【００３１】
このように、本発明によれば、温風取込機能付きこたつ１へ外部から温風を入れる作業を繰り出し板５ａを引き出すという簡単な動作で開始することが出来る。さらに、外部から温風を入れることを中止する際には、繰り出し板５ａを収納部６内に戻すという簡単な作業を行えばよい。何か器具を他の場所に移動する必要がなく、１つの動作で行うことができる。
そのため、使用者に負担を強いることなく、極めて簡単な動作で、こたつ内に温風を入れる、或いは入れる行為を中止することが出来、ユーザの使用性を向上させることができる。
【実施例２】
【００３２】
他の実施例について図３を用いて説明する。図３（ｂ）は、突出部５に棒状の繰り出し棒を用いた図である。図３（ｂ）は、繰り出し棒１１を各２つ用いた図である。
図３（ｂ）に、枠板部３、繰り出し棒１１、収納部６の関係を示す。図６はいずれも枠板部３を下方から見た図である。枠板部３の中央にヒーター部４があり、枠板部３の各辺に対応する位置に繰り出し棒１１、繰り出し板５ａが配置されている。
繰り出し棒１１は、棒状体であり、円柱、四角柱のいずれでも良い。繰り出し棒１１は、４辺に対応するように、各辺に配置されている。実施例１と同様に、温風を入れたい側の辺に対応する繰り出し棒１１を収納部６から引き出し、繰り出し棒１１によってコタツ布団７が捲くられるようにする。
繰り出し棒１１は繰り出し板５ａに比べて、容積が小さいことから、繰り出し棒１１を収容するスペースも小さくなり、好適である。また、図３（ｃ）のように、繰り出し棒１１を各辺に複数配置してもよい。そうすることで、繰り出し板５ａの場合と同様に、ある程度の幅でコタツ布団７を引き上げることが出来る。
【００３３】
また、図３（ｄ）のように、対向する辺に対して、１つの繰り出し板５ａを用いても良い。収納部６、繰り出し板５ａをヒーター部４の上面、枠板部３の内部に配置するようにすることで、繰り出し板５ａの長さが長くなり、小型のこたつの場合にも、繰り出し板５ａの突出量を確保することができる。
また、同様に、図３（ｂ）、図３（ｃ）についても、対向する辺に対して、１つ或いは１組の繰り出し棒１１を用いても良い。
【実施例３】
【００３４】
他の実施例について図４を用いて説明する。実施例１と同様の部分は省略する。
実施例１によって、温風ヒータ１０の温風を温風取込機能付きこたつ１の内部に引き入れることが出来るが、コタツ布団７の開口部が高さ方向に大きいと、折角入れた温風が、また、外に出てしまうことになる。そこで、繰り出し板５ａの端部に、ロールカーテン状の暖気流出を調整する調整壁部１２を設けても良い。未使用時は、繰り出し板５ａの端部に収容し、暖気の流出を制限した場合は、ロールカーテンと同様に所定の位置まで調整壁部１２を下げればよい。調整壁部１２によって、温風ヒータ１０から送られる温風は、温風取込機能付きこたつ１の内部に導かれ、不要に温風が温風取込機能付きこたつ１から外部に出ることを防ぐことが出来、より効率的にこたつ内を温めることが出来る。
また、調整壁部１２は、薄い板状のものでもいいし、木製であっても、樹脂性であっても良い。
【実施例４】
【００３５】
他の実施例について図５を用いて説明する。実施例１と同様の部分は省略する。
実施例１によって、温風ヒータ１０の温風を温風取込機能付きこたつ１の内部に引き入れることが出来るが、繰り出し板５ａを他の目的に使用しても良い。家具調こたつの場合は、冬季以外はコタツ布団７を除き、ヒーター部４を枠板部３に固定して座卓として使用する場合が多い。その際、繰り出し板５ａを突出させた状態にすることで、繰り出し板５ａをサブテーブルとして使用することも出来る（図５（ａ））。
【００３６】
その際、繰り出し板５ａの端部が荷重に対して不安定になることを防ぐために補強用脚１４を用いても良い。補強用脚１４を用いることで、繰り出し板５ａは安定し、サブテーブルとしての機能を確保することが出来る。繰り出し板５ａへの補強用脚１４の取付は、ねじでもいいし、凸凹の嵌合でも良い。また、繰り出し板５ａと一体とし、繰り出し板５ａの端部と補強用脚１４が回転可能に固定され、繰り出し板５ａを収納部６に収容する際は、補強用脚１４も折りたたまれ同時に収納部６に収容され、繰り出し板５ａを引き出した際に、床方向に回転し、繰り出し板５ａを支えるようにしても良い。
【００３７】
また、ヒーター部４と繰り出し板５ａの段差が気になる場合は、補助板１５を繰り出し板５ａの上に置いても良い。補助板１５は、繰り出し板５ａの上に単に置くだけでもいいし、ねじ止めしても良い。ねじ止めする際は、図５のように、補助板１５の表面に突起が出ないような構造にしても良い。
【００３８】
他の実施例について図６を用いて説明する。実施例１と同様の部分は省略する。
実施例１では、繰り出し板５ａは、長方形であったが、先端が狭くなる台形構造であってもよい。図６にて先端の狭くなった繰り出し板５ａａを示している。先端が狭くなることで、布団の引き上げ量が減り、こたつ上部の開口部の大きさも小さくできる。上部の開口部が小さいとこたつ内に送られた温風が上部から逃げる量を減らすことが出来、より安定してこたつ内の温度を上げることができる。
【００３９】
他の実施例について図５、図７を用いて説明する。実施例１と同様の部分は省略する。
実施例１によって、温風ヒータ１０の温風を温風取込機能付きこたつ１の内部に引き入れることが出来るが、当然ながら、通常のこたつについては、本実施例を行うことは出来ない。そこで、図７に示すような通風機９を使用する。
通風機９は、高さがこたつの枠板３に当たらない程度であり、空洞の筒部９０２を持ち、通風機９の正面から裏面に空気を通すことができる。ルーパー９０１を正面に持ち、筒部９０２に空気を通すか否かをルーパー９０１の開け閉めで制御することが出来る。通風機９は車輪９０３を持ち、容易に移動可能である。
【００４０】
通風機９をこたつの一辺に近接して置き、コタツ布団７を通風機９に被せる。通風機９の側面はコタツ布団９で覆われる。通風機９の正面に温風ヒータ１０を置き、ルーパーを開け、筒部９０２に空気が通るようにする。温風ヒータ１０の温風は、通風機９の筒部を通って、コタツ内に入り、コタツの内部を温めることが出来る。
コタツ内が十分暖まったら、ルーパー９０１を閉じることで、コタツ内の空気が外に漏れることを防ぐことが出来る。
また、通風機９を使用しないときは、他の場所に移動しても良いし、コタツ内に入れてしまってもよい。
このように、本発明を用いることによって、容易に外部の温風をこたつ内に導くことができる。
【００４１】
また、通風機９の他の使用方法として、図５（ｂ）に示すように、サブテーブルの台として使用しても良い。通風機９の上に補助板１５ａを置く。補助板１５ａは、通風機９の上面と同じ大きさでも良いし、天板２の一辺と同じ大きさでも良い。
このような構造とすることで、容易にサブテーブルを作ることができ、利便性を向上させることができる。
【００４２】
図８は、本発明に係る温風取込機能付こたつ１００の全体説明図である。
図８（ａ）は各構成を示し、図８（ｂ）は、使用状態を示している。
温風取込機能付こたつ１００は、前記の温風取込機能付きこたつ１の底面側の略四隅に足部材１０１を設けたもので、足部材１０１の存在を除けば基本的には温風取込機能付きこたつ１と共通する。従って、重複する事項については省略する。
【００４３】
温風取込機能付きこたつ１００は、こたつの機能、温風取込機能、拡張テーブル機能を果たすことができる。また、小さなアパート等で収納スペースがない場合などでは、既存のこたつ８を覆うようにして使用することも可能である。
【００４４】
図９は、追加天板をもちいて、天板部２の面積を拡張する機能を発揮できるという例示である。突出部５から突き出した、繰り出し板５ａを基台として、追加天板２ａと嵌合により備えることが可能となる構成の実施例である。
【００４５】
以上のように、本発明によれば、温風取込機能付きこたつ１へ外部から温風を入れる作業は、繰り出し板５ａを引き出すという簡単な動作で開始することが出来る。さらに、外部から温風を入れることを中止する際には、繰り出し板５ａを収納部６内に戻すという簡単な作業を行えばよい。何か器具を他の場所に移動する必要がなく、１つの動作で行うことができる。
そのため、使用者に負担を強いることなく、極めて簡単な動作で、こたつ内に温風を入れる、或いは入れる行為を中止することが出来、ユーザの使用性を向上させることができるものである。
【産業上の利用可能性】
【００４６】
本発明に係る温風取込機能付きこたつは、こたつに温風を引き込む構造に関しての産業上の利用可能性は大きいと解する。
【符号の説明】
【００４７】
１  温風取込機能付きこたつ天板
１ａ  開口領域（温風取込機能）
２  天板
２ａ  追加天板
３  枠板部（布団載置部）
４  ヒーター部
５，５ａ  繰り出し板（突出部）
６  収納部
７  コタツ布団（布団）
８  脚
９  通風機
１０  温風ヒータ
１１  繰り出し棒（突出部）
１２  温風流量調整機構
１３  温風取込用器具
１４  補強用脚
１５，１５ａ  補助板
１００  温風取込機能付きこたつ
１０１  足部材
９０１  ルーパー
９０２  筒部
９０３  車輪
【要約】
【課題】電気を熱に買えて暖を得る暖房装置の熱効率の悪さや、化石燃料と電気とを並存して利用する暖房環境の無駄をなくし、また、簡易的構造で安価に製造でき、四季の温暖の変化に対応して使用態様も変更が可能な暖房機器の提供を図ることを課題とする。
【解決手段】こたつの布団載置部となる枠板部上面との間から水平方向へ繰り出し板が突出する突出部が設けられており、
前記突出部を突き出すことで布団の一部を支持し、布団の端部と床の間に開口領域を作り、該開口領域に外部からの温風をこたつの内部へ導入する温風取込機能を備えたことを特徴とする温風取込機能付きこたつとした。
【選択図】図１【図１】
0005709287.tif 000002
【図２】
0005709287.tif 000003
【図３】
0005709287.tif 000004
【図４】
0005709287.tif 000005
【図５】
0005709287.tif 000006
【図６】
0005709287.tif 000007
【図７】
0005709287.tif 000008
【図８】
0005709287.tif 000009
【図９】
0005709287.tif 000010